Podtech/llm-jp-corpus-v4-ja_patent huggingface dataset:
(57)【要約】      （修正有）【課題】中に入れた野菜、果物、雑草の土を落とすことが出来て、取り出さずにバケツのままで水洗いが出来る、土砂落とし、バケツを提供する。【解決方法】バケツの側面２、及び底辺面３の部分に数種類の穴の大きさの違う網面を用意して、バケツの中に入れものや土砂の付具合に応じて取り外して交換し、バケツの中へ収穫した土の付いた野菜、果物、雑草をそれぞれ入れて、バケツの上や側面から水をかける。土砂が落ちて水洗いの手間が省ける。【選択図】図１
0003199345.tif 000002
【実用新案登録請求の範囲】
【請求項１】
バケツの側面、及び底辺面の部分に数種類の穴の大きさの違う網面を用意して、取り外しの交換ができて、バケツの中へ収穫した土の付いた野菜、果物、雑草をそれぞれ入れても、バケツの上からや側面から水をかけることにより、土砂が落ちて水洗いの手間が省ける、土砂落とし、バケツ。
【考案の詳細な説明】
【技術分野】
【０００１】  バケツの中へ土のついた収穫した野菜や果物や雑草を入れた時に、バケツの上や側面から水をかけると、バケツの中に泥水が溜まらずに土砂を洗い流すことに関するものである。
【背景技術】
【０００２】いろいろな大きさの容器に上から水をかけて土砂などを落とすものは存在する。
【先行技術】
【０００３】１、スーパーやＤＩＹ店にある、粗い目で軽い買い物カゴ。
２、丸、角型などいろいろとある、トタン、ポリプロピレン製のＰ・Ｃバケツで購入して    から底や側面に穴を開けたバケツ。
３、ガーデニング用で草、花を入れる容器、底に穴が付いていて水が出るが取手はない。
４、ざる、竹、ポリプロピレン製の深型盆ザル。
５、ＰＰ製水切りバスケット、深型キッチンザル
【考案の概要】
【０００４】  レンコン、ダイコン、ゴボウなどの野菜やイチゴ、ブドウ、リンゴなどの果物や草引きの時の雑草などをバケツに入れる。土がついているために、いちいちバケツから出して水洗いをする。バケツに入れたままでバケツの上や側面から水をかけると土砂が流れ落ちてバケツの中に土砂が溜まらない、土砂落とし、バケツ。
【考案が解決しようとする課題】
【０００５】  野菜や果物の収穫や草引き時の雑草をかごに入れて運ぶ。かごが小さい時やない時にはバケツを代用とする。土を落とす時にはいちいち中に入れたものを出して水をかけるよりも、バケツごとに直接にバケツに水をかけて土が落ちれば便利である。
【考案を解決するための手段】
【０００６】  バケツはポリプロピレン製の軽い材質で、側面と底辺面に２〜３種類のメッシュー状のいろいろな穴の大きさの違う種類のスペアーを用意する。そのスペアーの側面の形状は半丸状のＵ字状や、又は丸形の円錐状で、バケツの内側に上から入るようにしてある。底辺面はバケツの底の丸状であり、バケツの内側に入る形状で底辺面の寸法より少し短くしておく。バケツの側面と底辺面の内側にはいろいろな穴の大きさの違うスペアーを差し込んで入れるために、粗い格子の差し込み受け支柱を作ってあるバケツであり、穴の大きさの違うスペアーを上から入れて、粗い格子の差し込み受け支柱とバケツの内側の間に差し込む。バケツの中に入れた、  トマト、ブドウ、りんご、みかんなどのいろいろな大きさの果物や野菜の収穫物や雑草は土の付具合は異なる。その土を洗い流すために、バケツの側面と底辺面に、穴の大きさの違うスペアーに替えることが出来ることにより、バケツの上や側面から直接に水をかけて、バケツの中の雑草やいろいろな野菜、果物が外へ出ることなく、土を落として洗い流す。バケツの中に入れるものにより、水の勢いや水量を網の大きさで調整することができる、土砂落とし、バケツ。
【考案の効果】
【０００７】  野菜や果物の収穫物や雑草などを入れるかごのかわりに大きなバケツを使用する。バケツが軽くて、大きければたくさん入って便利である。そのバケツの側面と底面にメシュ状のいろいろな大きさの穴が開いた側面と底辺面を用意して野菜や果物や雑草の種類により、また土砂の付具合により、側面と底面の網の穴の大きさをかえことできるために、バケツの上や側面から、直接に水をかけることにより、水の量が調節できるために野菜、果物や雑草の土砂の付具合で土を落とすことが出来る。
【図面の簡単な説明】
【０００８】
【図１】  スペアーを入れる前のバケツの正面図
【図２】  スペアーを入れる前のバケツの側面図
【図３】  スペアーを入れる前の上からの図
【図４】  スペアーを入れる前の斜め図
【図５】  スペヤーの網面を固定する支柱、（１）側面  （２）底辺面  ▲１▼正面図  ▲２▼側面図  ▲３▼上からの図
【図６】  交換できるスペアーの側面の網の穴の大きさの形  ▲１▼大きい網目  ▲２▼大きくもなく、細かくもない網目  ▲３▼細かい網目
【図７】  交換できるスペアーの底面の網の穴の大きさの形  ▲１▼大きい網目  ▲２▼大きくもなく、細かくもない網目  ▲３▼細かい網目
【符号の説明】
【０００９】▲１▼  バケツの上辺
▲２▼  バケツの側面
▲３▼  バケツの底辺面
▲４▼  交換する網面の支え支柱
▲５▼  交換する網面の格子
▲６▼  バケツの取手
▲７▼  スペアーの粗い網面
▲８▼  スペアーの中ほどの網面
▲９▼  スペアーの細かい網面
【考案を実施するための形態】
【００１０】▲１▼、収穫する野菜、果物、雑草などにつく土砂はいろいろである。バケツの中に入れ      るものや土の付具合により、水で洗い流すためにバケツの側面と底辺面にいろいろ      な大きさの穴の網面を選んで、バケツの側面の内側と粗い格子の差し込み受け支柱      の間にはめ込んで入れ込む。
（１）ダイコン、寸法の長い野菜や雑草を入れるときはスペアーの網面を入れずに粗      い枠のままのバケツを使用する。
（２）ゴボウ、レンコンや短い長さの野菜を入れるときは粗い大きさの穴の網面のス      ペアーをはめ込んで使用する。
（３）リンゴ、みかんや大きいトマトを入れる時は中の大きさの穴の網面のスペアー      をはめ込んで使用する。
（４）小さいトマト、ブドウを入れる時は細かい大きさの穴の網面のスペアーをはめ      込んで使用する。
▲２▼、いろいろな野菜、果物、雑草などを作業してバケツの中に入れる。
▲３▼、土を落とすためにバケツごとに水道のホースのところへ持って行き、バケツの上      や側面から水をかけて土を洗い流す。
▲４▼、土や汚れが落ちたら、バケツの中より野菜、果物、雑草などを取り出す。
【産業上の利用可能性】
【００１１】  本考案を使用するとバケツの中で直接に土を水洗いできて、いちいちバケツの中のものを取り出して水洗いをせずにすむために、時間を節約できて、手を汚さずに済む。野菜や果物の収穫や雑草引きの雑草の時には腰をあまり使わずに、大変に便利なバケツとなる。
【図１】
0003199345.tif 000003
【図２】
0003199345.tif 000004
【図３】
0003199345.tif 000005
【図４】
0003199345.tif 000006
【図５】
0003199345.tif 000007
【図６】
0003199345.tif 000008
【図７】
0003199345.tif 000009
(57)【要約】      （修正有）【課題】携帯電話及びスマートフォン等の携帯情報端末を収納し、それらの利用を制限することを目的とした、紙、化学繊維または合成樹脂からなる専用の収納袋及び封かん用のシールのセットを提供する。【解決手段】紙、化学繊維または合成樹脂からなる材質よりなり、封筒状で、携帯電話及びスマートフォン等の携帯情報端末２を収納できる空間を有し、携帯電話及びスマートフォン等の携帯情報端末２の出し入れができる出し入れ部３が開口され、出し入れ部３以外の三方は閉じられ、出し入れ部３には折り曲げることによりこの出し入れ部３を封止できる折り曲げ部４が設けられ、当該袋１の内部に携帯電話及びスマートフォン等の携帯情報端末２を収納し、折り曲げ部４を折り曲げ、出し入れ部３を封止したのち封かん用シール５を封止した箇所に貼り付けて封印することにより、携帯電話及びスマートフォン等の携帯情報端末２の使用を制限するための収納袋１。【選択図】図１
0003199349.tif 000002
【実用新案登録請求の範囲】
【請求項１】
紙、化学繊維または合成樹脂からなる材質よりなり、封筒状で、携帯電話及びスマートフォン等の携帯情報端末を収納できる空間を有し、携帯電話及びスマートフォン等の携帯情報端末の出し入れができる出し入れ部が開口され、出し入れ部以外の三方は閉じられ、出し入れ部には折り曲げることによりこの出し入れ部を封止できる折り曲げ部が設けられ、当該袋の内部に携帯電話及びスマートフォン等の携帯情報端末を収納し、折り曲げ部を折り曲げ、出し入れ部を封止したのち封かん用シールを封止した箇所に貼り付けて封印することにより、携帯電話及びスマートフォンの使用を制限することを特徴とする収納袋。
【考案の詳細な説明】
【技術分野】
【０００１】  本考案は、携帯電話及びスマートフォン等の携帯情報端末を収納し封印するための、紙、化学繊維または合成樹脂からなる収納袋と封かん用シールのセットに関する。
【背景技術】
【０００２】  携帯電話やスマートフォン等の携帯情報端末が社会に広く普及し、所有者はそれらを携帯することによって便利な生活を送ることができる一方で、常に情報と接することに慣れてしまい、インターネット等を使用しない休息時間や継続的な学習時間等の確保が難しくなった。【０００３】  携帯電話やスマートフォン等の携帯情報端末の使用には、電磁波等の人体への影響も懸念されており、また、より創造的な生活を送るためには、一定時間携帯電話やスマートフォン等の携帯情報端末から離れてリラックスするなど、メリハリのある機器の使い方や自己管理が求められてきている。【０００４】  携帯電話及びスマートフォン等の携帯情報端末の収納袋は今までにあったが、携帯電話及びスマートフォン等の携帯情報端末の使用を控え、自己管理することを目的とした専用の収納袋及び封かん用シールのセットは今までになかった。
【考案の概要】
【考案が解決しようとする課題】
【０００５】  本考案は、以上のような従来の欠点に鑑み、携帯電話及びスマートフォン等の携帯情報端末の所有者が休息時間や学習時間等、それらの機器を使用しない時間を積極的に確保するために、携帯電話及びスマートフォン等の携帯情報端末を収納し封印するための収納袋及び封かん用シールのセットを提供することを目的としている。
【課題を解決するための手段】
【０００６】  本考案は、紙、化学繊維または合成樹脂からなる素材を加工し、携帯電話及びスマートフォン等の携帯情報端末を収納し封印するための専用の大きさの封筒状の収納袋及び封かん用のシールのセットを提供することにより、これらの携帯情報端末の利用者のインターネット等の情報通信に関わる時間を制限し、よって、彼らの休息時間や学習時間等、充実した時間を積極的に確保することを目的としている。
【考案の効果】
【０００７】  本考案に係る携帯電話及びスマートフォン等の携帯情報端末を収納し封印するための収納袋と封かん用シールのセットは、紙、化学繊維または合成樹脂を加工して作るため、比較的軽量、低コストで製造でき、また、携帯電話及びスマートフォン等の携帯情報端末を封筒状の収納袋に収納し、封印するという見た目の分かりやすさもあり、幅広い年代の人々が手軽に利用できることから、実用性に優れたものである。【０００８】  携帯電話及びスマートフォン等の携帯情報端末の使用者は、本考案により、携帯情報端末を使用しない休息時間や学習時間等を積極的に確保することができる。
【図面の簡単な説明】
【０００９】
【図１】本考案の実施例を示す携帯電話及びスマートフォン等の携帯情報端末収納前の説明図である。
【図２】本考案の実施例を示す携帯電話及びスマートフォン等の携帯情報端末収納後の説明図である。
【図３】本考案の他の実施例を示す説明図である。
【符号の説明】
【００１０】    １  収納袋
２  携帯電話及びスマートフォン等の携帯情報端末
３  出し入れ部
４  折り曲げ部
５  封かん用シール
【図１】
0003199349.tif 000003
【図２】
0003199349.tif 000004
【図３】
0003199349.tif 000005
(57)【要約】      （修正有）【課題】多目的に使え、各目的にあわせ薬剤を用意し、必要に応じ組み合わせて使えば、非常時備品としても有効なポケット付きマスクを提供する。【解決手段】適度な通気性と耐水性をもつ不織布を多層構造とし、裏面上下中央部に左右連通ポケットを設けて、薬剤を装填する。【選択図】図３
0003199325.tif 000002
【実用新案登録請求の範囲】
【請求項１】
不織布などで構成されたマスクで  裏面上下中央部に左右連通ポケットを設える構造。
【考案の詳細な説明】
【技術分野】
【０００１】  従来この用途のマスクは  その本体が多層構造な故  その層間に他物を装填する場合に、装填される芳香・湿分・薬剤の位置が固定し、それが鼻梁の真上下など、不具合だった。
【背景技術】
【０００２】  多層構造の所定位置にポケットを設え、需要に合わせ装填物を選択し、左右希望位置に装填する。装填も鼻腔の状況に合わせ芳香・湿分・薬剤など左右異種の場合も有り得る。
【考案が解決しようとする課題】
【０００３】  単一なマスクが  装填物の有無、装填物の使途など如何様にも使い勝手が良いように多目的な構造とする。
【課題を解決するための手段】
【０００４】  不織布等  通気・寸法安定性の良い多層構造とし、所定の位置に広大なポケットを造り、別途  ポケット寸法に合わせ各種薬剤（錠剤、粉剤、液剤や、通気性袋詰め等）を用意する。
【考案の効果】
【０００５】  このポケット付きマスクを一つ用意すれば多目的に使え、各目的にあわせ薬剤を用意し、必要に応じ組み合わせて使えば、非常時備品としても有効である。
【考案を実施するための最良の形態】
【０００６】  通気性・耐湿性不織布による多層構造にポケット用布を重ね  その上縁を上下中央付近へ設えば識別しやすく  それが内部で２回折返されているから  装填物の仮固定に役立つ。
【実施例１】
【０００７】  装填物として錠剤、粉剤、液剤、薬葉片、脱脂綿片その他を備える。
【産業上の利用可能性】
【０００８】  家庭用マスクとしてのみでなく  産業用悪環境用防具としても有効である。
【図面の簡単な説明】
【０００９】
【図１】不織布など  多層構造のマスク原布加工途中図。
【図２】ポケット付きマスク  接顔面図。
【図３】ポケット付きマスク  薬剤装填図。
【符号の説明】
【００１０】  １  通気性耐水性不織布基材
２  マスク加工の熔接縫合線
３  ポケット用布地の折返し上縁
４  ポケット用布地の折返し下縁
【図１】
0003199325.tif 000003
【図２】
0003199325.tif 000004
【図３】
0003199325.tif 000005
【手続補正書】
【提出日】平成27年5月19日(2015.5.19)
【手続補正１】
【補正対象書類名】実用新案登録請求の範囲
【補正対象項目名】全文
【補正方法】変更
【補正の内容】
【実用新案登録請求の範囲】
【請求項１】
不織布などの多層構造の裏面上下中央部に左右連通ポケットを設えることを特徴とするマスク。
(57)【要約】      （修正有）【課題】「目にしみない」「味が良い」「健康に良いイメージがある」などの良い面を利用した代用タバコを提供する。【解決手段】中が空のタバコの筒２の中にドリップ式コーヒーやゴマを入れて穴をセロハンテープ１でふさぐ。【選択図】図１
0003199321.tif 000002
【実用新案登録請求の範囲】
【請求項１】
従来のダハコの様に「タバコの葉」ではなく、「コーヒー（ドリップ式）（インスタントではない）」「ゴマ」を用いて中が空のタバコの筒の中に入れて穴をセロハンテープでふさぐ。
喫煙者の場所と良いイメージの充実をつくる。
【考案の詳細な説明】
【技術分野】
【０００１】本考案は従来のタバコと違い、吸いやすく、「コーヒータバコ」「ゴマタバコ」の２種類があり、新種である（目にしみない、味が良いなど）。
【背景技術】
【０００２】従来のタバコに嫌気があって（煙が目にしみる、味が悪い）、新種開発に取り組んだ。
【先行技術文献】
【特許文献】
【０００３】
【特許文献１】
【特許文献２】
【非特許文献】
【０００４】
【非特許文献１】（代用タバコ（コーヒータバコ、ゴマタバコ））
【非特許文献２】
【考案の概要】
【考案が解決しようとする課題】
【・・・・】
従来のタバコでは喫煙者に満足してもらえない。
【課題を解決するための手段】
【・・・・】
新たな味わいによってタバコのイメージを一新してコーヒやゴマなどの健康に良いイメージをタバコ化する事で喫煙の充実をはかる
【考案の効果】
【・・・・】
【図面の簡単な説明】
【・・・・】
【図１】
0003199321.tif 000003
【考案を実施するための形態】
【・・・・】
【実施例】
【・・・・】
【産業上の利用可能性】
【・・・・】
この実用新案権を「出願」「登録」「取得」した後にＪＴに売り込み、代用タバコを日本中で販売する
（自身もインターネットや手売りなどで販売する可能性もある）
【符号の説明】
【・・・・】
【図１】
0003199321.tif 000004
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
中が空のタバコの筒の中にドリップ式コーヒーやゴマを入れて穴をセロハンテープでふさぐ事を特徴とする代用タバコ。
【手続補正２】
【補正対象書類名】明細書
【補正対象項目名】全文
【補正方法】変更
【補正の内容】
【考案の詳細な説明】
【技術分野】
【０００１】本考案は従来のタバコと違い、吸いやすく、「ドリップ式コーヒータバコ」「ゴマタバコ」の２種類があり、新種である（目にしみない、味が良いなど）。
【背景技術】
【０００２】従来のタバコに嫌気があって（煙が目にしみる、味が悪い）、新種開発に取り組んだ。
【先行技術文献】
【非特許文献】
【０００３】
【非特許文献１】（代用タバコ（ドリップ式コーヒータバコ、ゴマタバコ））
【考案の概要】
【考案が解決しようとする課題】
【０００４】従来のタバコでは喫煙者に満足してもらえない。
【課題を解決するための手段】
【０００５】新たな味わいによってタバコのイメージを一新してドリップ式コーヒーやゴマなどの健康に良いイメージをタバコ化する事で喫煙の充実をはかる
【図面の簡単な説明】
【図１】斜視図
【０００６】［図１］  図１は代用タバコを表す図である
【産業上の利用可能性】
【０００７】この実用新案権を「出願」「登録」「取得」した後にＪＴに売り込み、代用タバコを日本中に販売する
（自身もインターネットや手売りなどで販売する可能性もある）
(57)【要約】      （修正有）【課題】泡立てスポンジを衛生的で手軽に場所を選ばず使用することができると共に、持ち運びが容易なコンパクトで丈夫なスポンジ収納ケースを提供する。【解決手段】ケースのキャップ１に伸縮性のバネ２を取り付けて、これを乾燥スタンドとし、バネの他端の窪みにスポンジ３を置く。場所を選ばず衛生的にスポンジを乾燥させることができる。また、乾燥後にはスポンジをケース４に入れて、そのままキャップを閉めることで、手軽に保管し持ち運ぶことができる。【選択図】図２
0003199322.tif 000002
【実用新案登録請求の範囲】
【請求項１】
泡立てスポンジの乾燥スタンド付き携帯型収納ケース。
【考案の詳細な説明】
【技術分野】
【０００１】  本考案は、泡立てスポンジを乾燥できる携帯型保管ケースに関するものである。スポンジを衛生的に保管でき、コンパクトで持ち運びやすいことを特徴としている。
【背景技術】
【０００２】  従来、泡立てスポンジの使用後には、予めスポンジに付いた紐を吊り下げることで乾燥させることが一般的である。しかしながら、これらは乾燥させるにあたり吊り下げるためのフックやある程度のスペースが必要であり、また、吊り下げが困難な場合は、床や壁に接触する可能性があるため不衛生になりやすく、携帯にも不向きであった。【０００３】  そのため、泡立てスポンジ使用後、場所を選ばず乾燥でき、保管、持ち運びが簡単にできるような機能をケースに持たせることで、より多くの人に手軽に泡立てスポンジの使用が可能となる。
【考案の概要】
【考案が解決しようとする課題】
【０００４】  従来、泡立てスポンジやネットの使用後には、予めスポンジに付いた紐を吊り下げて乾燥させることが多く、乾燥スペースや衛生面、持ち運びに問題があった。【０００５】  本考案は、このような従来の問題を解決しようとするもので、乾燥スタンド一体型保管ケースを製作することで、泡立てスポンジを衛生的で手軽に場所を選ばず使用することができる。さらに、持ち運びが容易にできるようコンパクトで丈夫なケースを提供することを目的とする。
【課題を解決するための手段】
【０００６】  乾燥対策として、例えば軟膏ツボのようなケースのキャップの裏に伸縮可能なバネを取り付け、先の窪みにボール状（小型）のスポンジを置くことで衛生的に乾燥できる。【０００７】  スペース確保の対策として、キャップは本来の蓋の機能だけではなく自立した乾燥スタンドも兼ねているため、キャップ面積分の平面なスペースがあれば場所を選ばずどこでも自由に置くことができる。【０００８】  保管対策として、乾燥後、スポンジを容器に入れキャップをそのまま閉じれば手軽に保管することができる。【０００９】  携帯対策として、コンパクトなケースのため、バッグや化粧ポーチ等に入れて、容易に持ち運びができる。【００１０】  従って、泡立てスポンジをケース一式のみで手軽に乾燥・保管・携帯ができることになる。
【考案の効果】
【００１１】  本考案は、泡立てスポンジを手軽に乾燥・保管・携帯できるケースである。従って、一つのケースで三種類の役割を果たすことができるため、スポンジの衛生を保ちながらも紐をかけるフックやスペース、携帯方法の問題を解決することができる。【００１２】  また、スポンジが消耗してもケースは比較的長く使用できる。
【図面の簡単な説明】
【００１３】
【図１】本考案のバネ付きキャップの裏側を下に置き、バネの先の窪みにスポンジを置いた正面側斜視図である。
【図２】図１を逆さにし、ケースと向かい合わせた正面側斜視図である。
【図３】スポンジをケース内に押し込め、キャップをはめた正面側斜視図である。
【考案を実施するための形態】
【００１４】  本考案の実施形態に基づいて図面で説明する。図１は、濡れたスポンジを乾燥させるため、金属またはプラスチック類の伸縮可能なバネを取り付けたキャップの裏側を下に置き、そのバネの先の窪みにスポンジを置いた正面側斜視図、図２は、図１を逆さにしてケースと向かい合わせた正面側斜視図、図３は、乾燥後にスポンジをケース内に押し込めて保管し持ち運ぶことができるようにキャップをはめた正面側斜視図である。
【００１５】  このように、図１のキャップに取り付けたバネは、スポンジが落ちないように自立性と安定性があり、またケース内に押し込むことができるよう伸縮性を兼ね備えた金属またはプラスチック類の材質である。
【００１６】  また、スポンジは、軽くて泡立ちやすく容器に入れることができる最も効率的な形状である。
【００１７】  スポンジおよびケースのサイズ、デザインは色々なバリエーションが考えられる。
【産業上の利用可能性】
【００１８】  本考案の泡立てスポンジの乾燥スタンド付き携帯型収納ケースは、衛生的で手軽に使用でき、コンパクトで持ち運びに便利なため、外出先（旅行等の宿泊施設）での利用機会が増えるとが予想される。
【符号の説明】
【００１９】  １    キャップ
２    金属またはプラスチック類の伸縮可能なバネ
３    スポンジ
４    収納ケース
【図１】
0003199322.tif 000003
【図２】
0003199322.tif 000004
【図３】
0003199322.tif 000005
【手続補正書】
【提出日】平成27年5月25日(2015.5.25)
【手続補正１】
【補正対象書類名】実用新案登録請求の範囲
【補正対象項目名】全文
【補正方法】変更
【補正の内容】
【実用新案登録請求の範囲】
【請求項１】
キャップと、１端が前記キャップに取り付けられると共に他端にスポンジを置くための窪みを有する伸縮可能なバネとを有するバネ付キャップと、
前記バネ付キャップを収納する収納ケースと、
からなる携帯型収納ケース。
(57)【要約】      （修正有）【課題】単に目元を暗くするだけでなく、冷却や保温など特定の目的や多目的に使用できるアイマスクを提供する。【解決手段】アイマスクを袋状の構造にして、その中に芳香剤、冷却材、保温材など様々なものを出し入れ出来るようにすることで、多目的な使用を可能としたことを特徴とする。【選択図】図３
0003199356.tif 000002
【実用新案登録請求の範囲】
【請求項１】
アイマスクを袋状の構造にして、その中に芳香剤、冷却材、保温材など、様々なものを出し入れ出来るようにすることを特徴とするアイマスク
【考案の詳細な説明】
【技術分野】
【０００１】  アイマスクに関するものである。
【背景技術】
【０００２】  従来のアイマスクには、その中に芳香剤、冷却材、保温材などを入れて使用する袋状の形体のものがなかった。
【考案の概要】
【考案が解決しようとする課題】
【０００３】  従来のアイマスクは、単に目元を暗くするだけのものや、冷却や保温など特定の目的での使用に限定されたものしかなかった。本考案は、多目的に使用できるアイマスクを提供することを目的とする。
【課題を解決するための手段】
【０００４】  本考案は、アイマスクを袋状の構造にして、その中に様々なものを出し入れ出来るようにすることを特徴とする。
【考案の効果】
【０００５】  アイマスクを袋状にして、その中に様々なものを出し入れ出来るようにして、その中に芳香剤、冷却材、保温材などを入れて使用することで、一つのアイマスクを多機能に使用することが出来る
【図面の簡単な説明】
【０００６】
【図１】本件考案の目に当てない表側の図
【図２】本件考案の目に当てる裏側の図
【図３】本件考案の目に当てない側の蓋を開いた図
【図４】図３のＸ−Ｙ断面図
【考案を実施するための形態】
【０００７】  アイマスクを袋状に作成して、その中に様々なものを出し入れ出来るような構造にする。アイマスクの中に何も入れずに、単に目元を暗くして安眠用として使用することも、芳香剤、冷却材、保温材などを入れて使用することもできる。
【実施例】
【０００８】実施例では、図１、図２、図３、図４のようなアイマスクを参考例として提示する。図１のアイマスクの蓋２を開いて図３のような状態にして、５の部分の開口部へ、必要に応じて、芳香剤、冷却材、保温材などを入れたうえで蓋を閉じて使用する。
【産業上の利用可能性】
【０００９】  本考案は、これまで特定の目的でしか使用できなかった一つのアイマスクを、多目的に使用できるようにしたアイマスクであり、その多用途性から製造販売される可能性がある。
【符号の説明】
【００１０】  １  アイマスクの紐
２  アイマスクの開口部の蓋に当たる部分
３  アイマスクの目に当てない表側の部分
４  アイマスクの目に当てる裏側の部分
５  袋状となったアイマスクの中に芳香剤、冷却材、保温材など入れる入れ口
【図１】
0003199356.tif 000003
【図２】
0003199356.tif 000004
【図３】
0003199356.tif 000005
【図４】
0003199356.tif 000006
(57)【要約】      （修正有）【課題】災害時に、使用者を乗せたまま、寝具全体を浮力させて、生命を保護する水害時生命保護用寝具を提供する。【解決手段】寝具用器具の底部に浮力を生み出す容器を取り付けて水害時に器具全体が使用者を乗せた状態で浮力して生命保護に役立つ水害時生命保護用寝具であって、寝具用器具の底部に浮力容器を１０〜１４個取り付けたことを特徴とする。【選択図】図３
0003199315.tif 000002
【実用新案登録請求の範囲】
【請求項１】
寝具用器具の底部に強力な浮力を生み出す容器を取り付けて、水害時に器具全体が使用者を乗せたまま、浮力して生命の保護に当たるものです。
従来の器具には、ないものです。
取り付ける容器は、東西南北や上下斜下方向からの水圧に、ズレたりハズレたりしないよう、しっかりと取り付けます。取り付ける容器の個数は１０〜１４個が最善です。理由は激流に流された時、大きな岩や鋭角な漂流物によって、破損するものがあっても残りの数個で十分の安全性を保つ為です。寝具用器具と浮力用容器の材料は軽くて丈夫な木材・プラスチック・セラミック・炭素繊維・金属類で、幾つかの組合せで造ります。
【考案の詳細な説明】
【技術分野】
【０００１】寝具用器具の底部に強力な浮力を生み出す容器を数十個を取り付け水害の非常時に、使用者を乗せたまま、寝具全体を浮力させて舟の様にして、使用者の大切な生命を保護するものです。
【先行の技術】
【０００２】これ迄のものは、人間の生活の中心の１つである睡眠と楽しめの為のものですが、水害時の非常時に生命の保護に役立つものではありません。
【考案の効果】
【０００３】  津波、高潮、洪水等で増水した時に、強力な浮力と安定性によって使用者を乗せたまま、寝具用器具の全体が浮力し、天井板さえ持ち上げて、設置されている建物の最上部迄上昇、例え建物と共に流されたとしても備え付けてある備品によって、救出される迄、長時間使用者の大切な生命を保護するものであります。
【図面の簡単な説明】
【図１】  横からの側面
【図２】  縦からの側面
【図３】  底部
【図４】  寝所と備品置場所
【図１】
0003199315.tif 000003
【図２】
0003199315.tif 000004
【図３】
0003199315.tif 000005
【図４】
0003199315.tif 000006
【手続補正書】
【提出日】平成27年2月26日(2015.2.26)
【手続補正１】
【補正対象書類名】実用新案登録請求の範囲
【補正対象項目名】全文
【補正方法】変更
【補正の内容】
【実用新案登録請求の範囲】
【請求項１】
寝具用器具の底部に強力な浮力を生み出す容器を取り付けて水害時に器具全体が使用者を乗せた状態で浮力して生命保護に役立つ寝具用器具です
寝具用器具の底部に取り付ける浮力容器は縦４０ｃｍ横４０ｃｍ高サ３０ｃｍ前後で１０〜１４個程度の取り付けで水害時にあらゆる方向からの水圧にも決してズレたりハズレたりしない強個の取り付けで激流に流されても機能を十分発揮する水害時生命保護用寝具です。
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
寝具用器具の底部に浮力を生み出す容器を取り付けて水害時に器具全体が使用者を乗せた状態で浮力して生命保護に役立つ水害時生命保護用寝具であって、
寝具用器具の底部に浮力容器を１０〜１４個取り付けたことを特徴とする水害時生命保護用寝具。
(57)【要約】      （修正有）【課題】ガス熱を赤外線に変換し、熱を下方に効率良く到達させるガスレンジを提供する。【解決手段】調理用ガスレンジの上下両面焼魚焼器において、ガス吹き出し口１近傍からガスレンジ内中心に向けて針金状の金属３を設け、ガス吹き出し口から吹き出して目的物５を上部から熱するガスの炎２に針金状の金属を接触させて赤熱させる。炎の熱を赤外線化して下部に放射すれば熱効率が改善され省エネにも役立つ。【選択図】図１
0003199317.tif 000002
【実用新案登録請求の範囲】
【請求項１】
調理用ガスレンジの上下両面焼魚焼器について、ガスの炎部分に、針金状の金属を接触させてこれを赤熱させ、ガス熱の一部を赤外線熱に変換して目的物（魚）を加熱する事によって、その熱効率を高めたガスレンジ。
【考案の詳細な説明】
【技術分野】
【０００１】  本考案は、調理用ガスレンジの魚焼き部分について、魚の上部から加熱するガスの炎に遠赤外線を発生させ、熱効率を高めたガスレンジに関するものである。
【背景技術】
【０００２】  調理用ガスレンジに設けられている魚焼器は、その殆どが上下両面から焼く構造になっており、熱源はガスが燃焼する炎である。ガスの炎は上昇するのみで、火力を下の魚に作用させる効率が良くないと考えられる。
【考案の概要】
【本考案が解決しようとする課題】
【０００３】  魚焼器の加熱するガスの炎に加工を加え加熱効率を上げようとするものである。
【課題を解決するための手段】
【０００４】  本考案は、両面焼き魚焼器の炎に、網目または線状の金属を、燃焼を妨げない密度で接触させることで、金属が赤熱され、その発生した輻射熱が、下の魚の方に万遍なく放射され、熱効率を改善する事ができる。
【図面の簡単な説明】
【０００５】
【図１】魚焼き器のガス炎に金属を接触させた図面である。
【符号の説明】
【０００６】  １    ガス吹き出し口（火口）
２    ガス炎
３    金属（赤熱体）
４    魚置き網
５    調理目的物（魚  ）
【図１】
0003199317.tif 000003
【手続補正書】
【提出日】平成27年3月17日(2015.3.17)
【手続補正１】
【補正対象書類名】実用新案登録請求の範囲
【補正対象項目名】全文
【補正方法】変更
【補正の内容】
【実用新案登録請求の範囲】
【請求項１】
調理用ガスレンジの上下両面焼魚焼器について、上部から熱するガスの炎内に、針金状の金属を接触させて、これを赤熱させるところを特徴としたガスレンジ。
【手続補正書】
【提出日】平成27年5月29日(2015.5.29)
【手続補正１】
【補正対象書類名】実用新案登録請求の範囲
【補正対象項目名】全文
【補正方法】変更
【補正の内容】
【実用新案登録請求の範囲】
【請求項１】
調理用ガスレンジの上下両面焼魚焼器について、ガス吹き出し口近傍からガスレンジ内中心に向けて針金状の金属を設け、ガス吹き出し口から吹き出し、目的物を上部から熱するガスの炎内に針金状の金属を接触させて、これを赤熱させることを特徴とするガスレンジ。
(57)【要約】      （修正有）【課題】手作業で土を掘る効率を良くし、土に埋まっている対象を傷つけず、スコップや重機より繊細な作業に適した穴掘り手袋を提供する。【解決手段】手の指の第一関節辺りまでを覆う金属製の丸爪を付けた手袋であって、金属製の丸爪と手袋の指先部分の間に保護パットを付けたことを特徴とする。【選択図】図１
0003199319.tif 000002
【実用新案登録請求の範囲】
【請求項１】
手の指の第一関節辺りまでを覆う金属製の丸爪を手袋に付ける。金属製の丸爪は丸くて平たいものにする。手の指と金属製の丸爪の間の部分に保護パットを付ける。
【考案の詳細な説明】
【技術分野】
【０００１】土を掘るための丸爪の付いた穴掘り手袋に関する。
【背景技術】
【０００２】作業用の手袋には布製やゴム製のものがある。
【考案の概要】
【考案が解決しようとする課題】
【０００３】土に埋まっている対象を傷つけずに土を掘れる手袋を作る。普通の手袋しかなくて、手で土を掘る効率が良くない。スコップや重機では土砂災害時での繊細な作業には向かないといった問題がある。土砂災害時に作業をしている人が手作業で土砂を取り除いていることをニュースで知り、この案を思いつき、この案が役立てばいいと思う。
【課題を解決するための手段】
【０００４】手袋に金属製の丸爪を付けて、少しでも手作業で土を掘り易くする。
【考案の効果】
【０００５】手袋に丸爪が付いていると、丸爪が付いていない普通の手袋より土を掘る効率が上がり、スコップや重機より繊細な作業にも適す。土に埋まっている対象を傷つけずに土を掘れる。手作業で掘り易くなる。
【図面の簡単な説明】
【０００６】
【図１】手袋の指先部分に金属製の丸爪と保護パットが付いているのを示した断面図である。
【考案を実施するための形態】
【０００７】人差し指、中指、薬指、小指の第一関節辺りまでを覆う金属製の丸爪と、指と金属製の爪の間の部分に保護パットを付けた手袋を作る。爪は土に埋まっている対象を傷つけないために丸く、土を掘り出しやすいように平たくする。
【図１】
0003199319.tif 000003
【手続補正書】
【提出日】平成27年3月13日(2015.3.13)
【手続補正１】
【補正対象書類名】実用新案登録請求の範囲
【補正対象項目名】全文
【補正方法】変更
【補正の内容】
【実用新案登録請求の範囲】
【請求項１】
手の指の第一関節辺りまでを覆う金属製の丸爪を手袋に付ける。
【手続補正書】
【提出日】平成27年5月18日(2015.5.18)
【手続補正１】
【補正対象書類名】実用新案登録請求の範囲
【補正対象項目名】全文
【補正方法】変更
【補正の内容】
【実用新案登録請求の範囲】
【請求項１】
手の指の第一関節辺りまでを覆う金属製の丸爪を付けた手袋であって、金属製の丸爪と手袋の指先部分の間に保護パットを付けたことを特徴とする穴掘り手袋。
(57)【要約】      （修正有）【課題】複数回使用しても形が変形しづらく長い期間使用が出来、更に、裁断がしやすくなる犬服用の型を提供する。【解決手段】犬洋服を製作する際に生地の上に置く型を、透明または半透明のアクリルで製作する。生地の上に型を置いても透かした状態で１ｃｍ間隔で彫刻された線を案内に生地の縦横の柄を見ながら裁断することができ、材料のアクリルが裁断で繰り返し使用しても変形しづらく長い期間使用出来る耐久性を持ち、中央の下側に穴が１ｃｍ間隔で開いており、そこを印することで簡単に着丈の調節が出来る。【選択図】図２
0003199338.tif 000002
【実用新案登録請求の範囲】
【請求項１】
犬洋服を製作する際に生地の上に置く型を、透明または半透明のアクリルで製作し、生地の上に型を置いた際に型に彫刻された垂直の線を案内とし生地の柄を見ながら型を配置し裁断することが出来、中央の下側に穴が１ｃｍ間隔で開いており、そこを印することで着丈の調節が出来る事を特徴とする犬服用の型です。
【考案の詳細な説明】
【技術分野】
【０００１】      本校案は、通常は紙で製作していた型をアクリルで製作した型に関するものである。
【背景技術】
【０００２】犬の洋服を作る為に使用する型紙は従来は紙で出来ていた。
【考案の概要】
【考案が解決しようとする課題】
【０００３】従来の犬の洋服を作る為に使用する型紙は紙で出来ている為に複数回使用しているうちに消耗し変形し、さらに下に置いている生地の柄が紙が透けない為に型紙を置いた状態では柄が全く見えなかった。
【課題を解決するための手段】
【０００４】本校案では、アクリルを材料として使用する為に複数回使用しても形が変形しずらく長い期間使用が出来、更に透明・半透明の素材を使用することで、下に置いている生地の柄が透けて見える為に裁断がしやすくなります。
【考案の効果】
【０００５】型がアクリルで製作することで強力な外部の力が加わることがない限り半永久的に保存することができ、透明または半透明な材料を使用することで生地の柄を見ながら使用したい部分を的確に裁断することが出来るようになります。また、犬洋服では着丈の調節が頻繁におこるのを、型の下部に開いている穴を活用することで微調整を簡単に行う事が出来ます。
【図面の簡単な説明】
【０００６】
【図１】型本体の図です。
【図２】本体の詳しい説明です。本体に引かれた線は１ｃｍ間隔です。型の上部に穴が開いています（緑色）。本体下部の中央に１ｃｍ間隔で穴が開いています。
【図３】使用方法の図です。生地の上に置いて使用します。
【図４】型を使用して着丈を調節する使用方法です。
【産業上の利用可能性】
【０００７】量産をする工場の裁断でも活用が出来ます。生地をまとめて重ねた上にアクリルの型を載せた状態で裁断します。
【図１】
0003199338.tif 000003
【図２】
0003199338.tif 000004
【図３】
0003199338.tif 000005
【図４】
0003199338.tif 000006
(57)【要約】      （修正有）【課題】クロス貼り用地ベラ本体を２分割し、可動接続とし多種機能を装備した折り畳み収納を備えた多機能地ベラを提供する。【解決手段】地ベラは２分割折り畳みの可動接続とし、上部握り部には枢着したカッター刃の折刃収納庫１と磁石のカッター収納４を設ける。下部の切付け台８には直角切りと反転すると平面移動の圧着板のスムーサーとなる切付け刃１０と目盛印１１をつけ道具の減少と選別時短及び手首への圧力負担を解決する。【選択図】図１
0003199336.tif 000002
【実用新案登録請求の範囲】
【請求項１】
地ベラ本体を握り部と切付台とに分けて可動接続とし上部握り部には枢着したカッター折刃収納庫とカッター収納を設け下部切付台には直角切り定規と反転すると圧着板となるヘラ定規を備えた折り畳み収納を特徴とする多機能地ベラである。
【考案の詳細な説明】
【技術分野】
【０００１】本考案は、クロス貼り用地ベラ本体を２分割し、可動接続とし多種機能を装備した折り畳み地ベラに関する物である。
【背景技術】
【０００２】道具が多種で腰袋での選別と床への落下及び手動具による手首への圧力負担での障害があった。
【考案への開示】
【考案への解決しようとする課題】
【０００３】腰袋での道具選別の時間を短縮させ道具落下と角圧着での手首への負担を軽減させようとする物である。
【課題を解決するための手段】
【０００４】本考案は地ベラ本体を２分割の可動接続とし折り畳み腰袋からの落下を防止し上部握り部に枢着したカッター収納と折刃収納庫を備え下部切付台には直角切り定規と反転すると圧着板になる切付刃を備え、これがスムーサーとなる切付台には目盛をつけ問題点を解決している。
【実施例】
【０００５】以下の添付図に従って実施例を説明する。［図１］耐久性のプラスチック等適宜素材で制作し可動接続により折り畳みできる本体。
上部の握り部には枢着した折刃口とその収納庫及び磁石によるカッター収納。
５の可動接続は多角度の手に順応し持ち手に違和感をあたえない。
切付刃の刃厚を正確に伝え一定厚でクロスを切ることが出来る。
９の直角定規は切口を直角切りする為スキができにくい。
１０の切付刃は切り作業が終了すれば台底に収納して平面圧着板となるため今までの角圧着スムーサーよりも手首への加圧が少なくなる。
【図面の簡単な説明】
【０００６】
【図１】本参考の折り畳み地ベラの実施例を示す斜視図である。
【図２】一部欠断面図である。
【符号の説明】
【０００７】１          折刃収納庫
２          カッター折刃口
３          上部握り台
４          カッター収納
５          接続蝶番
６          蝶番芯棒
７          芯棒ストッパー
８          下部切体台
９          直角切面
１０        切付刃
１１        目盛印
１２        切付刃回転軸
１３        折刃収納庫蓋
【図１】
0003199336.tif 000003
【図２】
0003199336.tif 000004
(57)【要約】      （修正有）【課題】作品のサイズに影響されず保護でき、見た目のルーズ感も解消され、携行する小物類は整理されるスケッチ用リュックサックを提供する。【解決手段】保管用和装包装紙の様に５面から成り、中心面１にキャンバスを置き、左右両側面をキャンバスに合わせて折り畳み面ファスナー９で止着し、更に上下面を重ねて係留用バックル７とストラップ１１で止着し保護する。絵筆等の付帯小物は周囲４面の表裏に設けたポケットに整頓する。重ねる上下左右のそれぞれの表裏面が有効に使用できるので携行小物を整理できる面が大幅に増え混在が解消する。【選択図】図１
0003199749.tif 000002
【実用新案登録請求の範囲】
【請求項１】
作品を収納する主バックを中心にして上下左右４辺の辺縁に接合したフラップ４枚を有し、中心のバックに収納した作品の大きさに合わせて４辺を折り畳んで作品の周囲全部と正面を４重に保護し、付帯小物は周囲４面のフラップ裏表に設けたそれぞれの決められたポケットに整頓できるスケッチ用リュックサック。
【考案の詳細な説明】
【技術分野】
【０００１】主に水彩画、水墨画、また持ち運びが出来るサイズの油絵を屋外でスケッチする際、画用紙やキャンバス及び必用な付帯道具一式を携行するバックに関する。
【背景技術】
【０００２】画材用バックは使用する用紙やキャンバスの定型規格サイズの制約が有って長年四角い外見は基本的に変わっていない。
単に流行でブランド名やカラーを変える程度の変更で有って、バックの基本仕様は作品の規格に合わせた定番サイズの４号、６号、８号等に対応している。
スケッチ用のバックを購入する際、先々使用するであろう用紙やキャンバスのサイズを想定し、大きめのサイズを収納できるバックを購入し規格の小さい用紙やキャンバスにも流用する。
【先行技術文献】
【考案の概要】
【考案が解決しようとする課題】
【０００３】例えば水彩画の簡単な屋外スケッチでも必要な道具はスケッチブック、絵の具一式、水張りパネル、カッターナイフ、ティッシュペーパー、帽子、鋏、１０本程度の絵筆を携行する。
また行き先、期間に依っては雨具、椅子、日除け、薬、サングラス等の装備を要し、更に女性で有れば身の回りの私物、化粧品、着替えも必要になる。
屋外スケッチでは何を何処でどう描くか、どの位の大きさの用紙を使うかに依って携行スケッチ用紙のサイズもキャンバスも異なりこれに伴って携行する道具の内容と量は変わってくる。
従来は大き目のバックを使用するのでだぶついて見た目に悪くスケッチに必要な携行道具がバック内で整理されず、忘れたり紛失したり混在してバック内で探さなければならないと云う不具合が有った。
またバック内に収納されたキャンバスやスケッチ用紙はバックの外生地だけで覆われているので外部からの干渉、衝撃に弱く作品の角やヘリを破損してしまう。
【課題を解決するための手段】
【０００４】本考案のスケッチ用バックの基本構造は和装を保管する包装ケースと類似している。基本パターンは包装ケースの様に５面構造を有し中心面は作品の収納コンパート面となり左右の両側面は観音開きに開閉し、作品の大きさに合わせた任意の折り線で左右から折り畳んでサイズ違いに依る幅の遊びを無くし作品の両側面と正面部を保護する。
底面は心材、例えばポリエチレン、ウレタン、ゴム、アルミ板等を内装して補強している。画用紙収納バックも含めた他の４面に比べてやや重くして地面との接触摩擦及び落下衝撃に備えてバック自体の重心を底に置き自立を補助している。
収納時の最後に上部面を折り返し、作品を保護しながら底部に備えた係留用ストラップと接続してバック全体を結束する。
天蓋としての役割を持つ上面部は底部との係留バックルを外すだけでセットした両側面と底の３面を全開する事無く袋状に成ったままでバック内の内容物を直接出し入れすることができる。
【考案の効果】
【０００５】使用時の本考案バックは中心面に有る作品の収納部周囲４面を折り重ねることで作品のサイズに影響されず保護でき、見た目のルーズ感も解消され、携行する小物類は整理される。最も使用頻度の高い絵筆は外面に独立した収納部が有りバックを開ける事無く直接アクセスできる。
【図面の簡単な説明】
【０００６】
【図１】  本考案のバックが作品を収納する為に展開した正面図である。
【図２】  本考案のバックが作品を収納した状態の正面図である。
【図３】  本考案のバックが作品を収納する為に展開した背面図である。
【図４】  筆記用具を入れるバックの参考斜視図。
【考案を実施するための形態】
【０００７】以下図に沿って実施の形態を説明する。まず本考案の中心にあるバック部１に作品や画用紙を収納する。収納したバックの大きさに合わせて左側面３を折り畳むとバックの正面に筆記用具入れ用のポケット１０が位置する。このポケットは左側面の中に縫いこまれた心材に依って常時位置が固定されているので左側面上で大きく位置がずれることは無い。
【０００８】折り畳んだ左側面の上から左側面同様に作品の大きさに合わせて右側面を畳む。
筆記入れ用のポケットは右側面に切り込んだカット部分から現れ常にバック本体の正面に位置する。折り畳んだ両側面には小物入れ用のポケットが複数配され小物使用の際収納位置を決めておけば整理されて効率的である。
【０００９】左右両側面に依って挟まれた作品を両側面ごと底面フラップで包み込み作品の底面を保護する。この時重い小物例えば傘イーゼル、折り畳み椅子等重さの有る物は下面の内側に止巻き込む様にして折り畳む。
【００１０】バックルの有る上面は下面同様に折り畳んで下面に有る係留用ストラップに連結する。
リュックの外様と成った状態でも小さな小物であれば上面を開いただけで全開しなくても直接取り出せる。
【００１１】頻繁に必要とする筆記具は外ずけポケットから常に直接取り出せる。
【符号の説明】
【００１２】  １  作品収納バック部
２  上面フラップ
３  右側面フラップ
４  左側面フラップ
７  係留バックル
８  側面合わせ用メス面ファスナー
９  側面合わせ用オス面ファスナー
１０  筆記具収納ポケット
１１  係留用ストラップ
【図１】
0003199749.tif 000003
【図２】
0003199749.tif 000004
【図３】
0003199749.tif 000005
【図４】
0003199749.tif 000006
(57)【要約】      （修正有）【課題】本の中にある写真などの画像にマークを付けて、それに関連した動画像として呼び出すことができるマーク読み取り動画呼び出し装置を提供する。【解決手段】本の内容に付けられたマークＤを読み取る手段と、マークと動画像とが対応付けられて記録されている記録媒体の記録から、当該読み取られたマークＤと一致するマークを検索するとともに、当該一致するマークに対応付けられている動画像を取り出す手段と、当該取り出された動画像を画像表示画面に送信する手段と、を有する。写真以上に動画を見るほうが効果的になり、変化の過程を示す場合も、連続した複数の写真に比べて動的に変化する過程がわかりやすくなり、複数の写真を１枚にすることで必要なスペースも削減できる。本を読む感覚で繰り返して適度に編集された動画を取り出し視聴することができ写真以上に読者の理解力を高め、興味を深めることができる。【選択図】図１
0003199743.tif 000002
【実用新案登録請求の範囲】
【請求項１】
本の内容である写真などにマークを付けてそれを読み取り、読み取ったものに連動し    た動画像を呼び出すことができる装置である。
【考案の詳細な説明】
【技術分野】
【０００１】
この考案は本の中にある写真などの画像にマークを付けて、それに関連した動画像として呼び出すことができる読み取り装置である。
【０００２】
本の書籍番号であるISBNと連動させることで、本の内容の写真などの画像を特定することができ、それに対応した動画像とも特定の関連付けを明確にできる装置である。
【０００３】
動画像を保存先のCDなどの媒体から呼び出して、テレビやパソコンなどのモニター画面に映像として映し出すことができる装置である。
【背景技術】
【０００４】
一冊の本の中で写真とビデオのような動画像を同時に活用できているものはなかった。
【考案の概要】
【０００５】
この考案は本を作成する段階で動画像を一緒に作成編集しておき、本の中の写真C部分に
関連する動画Gを作動させるためのマークDを組み込み、画像を読み取り、テレビやパソ
コンなどの画面Fに動画として呼び出す装置である。
【考案が解決しようとする課題】
【０００６】
本の中の写真の目的は本来その文章に関連した事項などをわかりやすくイメージ化させるための挿し絵的な表現として記載されているといえる。記載事項をよりわかりやすくするには実物や動きのある映像などが効果的である。
【０００７】
従来の本では、変化のようすを示すのに変化前後の写真の内容を複数枚使用することが多
いが、写真が増えることでページ数が増え、説明する文章も制限されることになる。
【課題を解決するための手段】
【０００８】
写真にISBNと連動したマークを記載して、写真と連動するようにマークを一致した画像を
CDなどの媒体に記録していく。写真のマークと連動させて映像を取り出すことで、本の内
容を示すものとして写真以上に動画像を見るほうが効果的になる。
【０００９】
変化の過程を示す場合も、連続した複数の写真に比べて動的に変化する過程がわかりやすくなり、複数の写真を１枚にすることで必要なスペースも削減でき、ページ数も減じる。
【考案の効果】
【００１０】
この考案は本の内容にあった映像を音声付きの動画像として取り出し、本を読む感覚で繰
り返して取り出し視聴することができ、適度に編集された動画像により写真以上に読者の
理解力を高め、興味をさらに深めることができる。                                
【００１１】
従来の本では変化の過程を複数の写真で示すのでスペースをとるが写真を動画像として取
り出すこの考案は写真の枚数を減らすことができて本のページにも余裕ができ、内容を高
めやすくなる。本にある写真としてだけではなく、テレビなどの大きな画面で動画を見る
ことができ興味がわき、わかりやすくなる。
【図面の簡単な説明】
【００１２】
【図１】は本の写真のマークを読み取り装置で読み込んでいる様子を示す図である。
【００１３】
【図２】は本の写真のマークと関連した動画を画面上に表示する状態を示す図である。
【００１４】
【図３】は本の写真のマークを読み込み、関連した動画を記憶媒体から呼び出して、テレビなどの画面上に表示する状態を示す図である。
【考案を実施するための形態】
【００１５】
本の書籍番号であるISBNと連動させた写真などの画像にマークをつけて、読み取り装置で
そのマークを読み取ることができ、マークに対応した動画像をＣＤなどの媒体から呼び出
すことでテレビなどの画面に映像を投影できる。
【実施例】
【００１６】
料理番組などの各種テキストや学習参考書、研究記録などの写真を関連する動画としての
映像を見ることで、分かりにくいところなどを繰り返して視聴することができて確認しや
すくなる。
【００１７】
動物図鑑や魚類図鑑などでは興味のある写真について、高画質のテレビなどの大画面で生
き物の動作を動きのある画像して鑑賞できるようになり、本としての機能も高められる。
【符号の説明】
【００１８】
Ａ 本のページ（印刷物のページ）      Ｂ文字      Ｃ写真    
Ｄ 写真のマーク       Ｅマークを読み込み画像を呼び出す装置
【００１９】
Ｆ テレビなどの画像表示画面        Ｇ画面上の動画を示す
【００２０】
Ｈ 動画を記録するＣＤなどの記憶媒体
【図１】
0003199743.tif 000003
【図２】
0003199743.tif 000004
【図３】
0003199743.tif 000005
【手続補正書】
【提出日】平成27年7月7日(2015.7.7)
【手続補正１】
【補正対象書類名】実用新案登録請求の範囲
【補正対象項目名】全文
【補正方法】変更
【補正の内容】
【実用新案登録請求の範囲】
【請求項１】
本の内容に付けられたマーク（Ｄ）を読み取る手段と、マークと動画像とが
対応付けられて記録されている記録媒体（Ｈ）の記録から、当該読み取られ
たマーク（Ｄ）と一致するマークを検索するとともに、当該一致するマーク
に対応付けられている動画像を取り出す手段と、当該取り出された動画像を
画像表示画面（Ｆ）に送信する手段と、を有することを特徴とするマーク読
み取り動画呼び出し装置（Ｅ）。